(57)【特許請求の範囲】
【請求項１】
データを送受信できる局の複数局が伝送路を介して接続されていてかつクロック周波数が全局で同期化されたデジタル同期網における全局の時刻を同期させる時刻同期方法において、各局は、相互に時刻基準パルスを送信し合い、自局パルスを送信してから伝送路クロック抽出回路により伝送路から抽出したクロックで読み出したデータから取り出した相手局パルスを受信するまでの時間を時間間隔カウンタにより計測し、該計測時間を基に演算回路により制御信号を形成し、該制御信号を基に位相制御回路により前記同期網のクロック位相を制御することより前記各計測時間を一致させることを特徴とするデジタル同期網における時刻同期方法。
【請求項２】
データを送受信できる主局と従局とが伝送路で接続されて主局と従局とが対向する形に形成されかつクロック周波数が両局で同期化されているデジタル同期網における両局の時刻を同期させる時刻同期方法において、前記主局は、時刻基準パルスを送信するとともに自局パルスを送信してから伝送路クロック抽出回路により伝送路から抽出したクロックで読み出したデータから取り出した相手局パルスを受信するまでの時間を時間間隔カウンタにより計測し当該計測時間を従局に送出し、前記従局は、時刻基準パルスを送信するとともに自局パルスを送信してから伝送路クロック抽出回路により伝送路から抽出したクロックで読み出したデータから取り出した相手局パルスを受信するまでの時間を時間間隔カウンタにより計測し、かつ主局からの計測時間を取込み、前記両計測時間を基に演算回路により制御信号を形成し、該制御信号を基に位相制御回路により前記同期網のクロック位相を制御して前記両計測時間を一致させることを特徴とするデジタル同期網における時刻同期方法。
【請求項３】
データを送受信できる局の複数局が伝送路を介して接続されていてかつクロック周波数が全局で同期化されているデジタル同期網における全局の時刻を同期させる時刻同期システムにおいて、前記各局は、時刻基準パルスを送信する送信手段と、自局パルスを送信してから伝送路クロック抽出回路により伝送路から抽出したクロックで読み出したデータから取り出した相手局パルスを受信するまでの時間を時間間隔カウンタにより計測する時間間隔計測手段とを備え、時刻を同期させる局は、前記各計測時間を基に演算回路により制御信号を形成し、該制御信号を基に位相制御回路により前記同期網のクロック位相を制御して前記各計測時間を一致させる時刻調整手段を有することを特徴とするデジタル同期網における時刻同期システム。
【請求項４】
データを送受信できる主局と従局とが伝送路で接続されて主局と従局とが対向する形に形成されかつクロック周波数が両局で同期化されているデジタル同期網における両局の時刻を同期させる時刻同期システムにおいて、前記主局は、従局のデータを受信するとともに伝送路クロック抽出回路により伝送路から抽出したクロックで読み出したデータから取り出した相手局パルスを得る受信手段と、自局パルスを送信してから前記相手局パルスを受信するまでの時間を時間間隔カウンタにより計測する時間間隔計測手段と、時刻基準パルスを送信できるとともに前記時間間隔計測手段からの前記計測時間を従局に送出する送信手段とを備え、前記従局は、時刻基準パルスを送信する送信手段と、主局のデータを受信するとともに伝送路クロック抽出回路により伝送路から抽出したクロックで読み出したデータから取り出した相手局パルスを得る受信手段と、自局パルスを送信してから前記相手局パルスを受信するまでの時間を時間間隔カウンタにより計測する時間間隔計測手段と、前記主局からの計測時間と当該時間間隔計測手段からの計測時間を基に演算回路により制御信号を形成し、該制御信号を基に位相制御回路により前記同期網のクロック位相を制御して前記両計測時間を一致させる時刻調整手段とを備えたことを特徴とするデジタル同期網における時刻同期システム。
【発明の詳細な説明】
【０００１】
【発明の属する技術分野】
本発明は、デジタル同期網における時刻同期方法およびシステムに関し、さらに詳細には、デジタル同期網特有の上り下り伝送遅延差に起因する同期誤差をなくしたデジタル同期網における時刻同期方法およびシステムに関する。
【０００２】
【従来の技術】
従来、時刻同期が適用される回線としては、スタッフ同期多重通信回線が挙げられる。この多重通信回線に時刻同期を適用する理由は、当該回線の伝送効率は多少劣るものの、対向局間での上り下りの伝送遅延差がほとんどなく、伝送端局装置レベルにおいてパルス送出タイミングを容易に制御することができることにあるからである。しかしながら、上述のスタッフ同期多重通信回線では、伝送効率が劣ることから、世界的にも次に示すデジタル同期網に移行するすう勢にあり、時刻同期のためにのみスタッフ同期多重通信回線を用いることは不可能になりつつある。
【０００３】
一方、デジタル通信回線の分岐・挿入、多重・分離等を効率的に行える利点を有するデジタル同期網は、一般的に、上り下りの伝送遅延差が大きく、伝送端局装置レベルにおいてパルス送出タイミングを制御することが困難なため、従来、当該デジタル同期網には時刻同期システムは適用されていなかった。
【０００４】
しかしながら、上記不都合を解消し、デジタル同期網のもつ利点を生かす観点から、デジタル同期網に時刻同期システムを適用することが考慮されるようになってきた。
【０００５】
まず、デジタル同期網に適用する時刻同期システムの一つとして、相互同期型の時刻同期システムが提案される。この相互同期型の時刻同期システムでは、前記通信回線に、通常、受信用エラスティックストアメモリを配置しており、デジタルクロック供給装置からの局内統一クロックに同期して前記メモリからデータを読み出し、当該データから相手局パルス等を抽出している。そして、この相互同期型の時刻同期システムでは、自局パルスを送出してから相手局パルスを受信するまでの時間を計測して、その計測値を使用して時刻同期を行っている。そして、この相互同期型の時刻同期システムは、上り回線と下り回線の伝送遅延が同じものとして時間の計測を行い、その計測値で同期制御を行っている。
【０００６】
【発明が解決しようとする課題】
＜第１の問題点＞
しかしながら、上記相互同期型の時刻同期システムをデジタル同期網に適用した場合には、次のような問題点が発生する。
【０００７】
既に説明したように前記相互同期型の時刻同期システムでは、上り回線と下り回線の伝送遅延が同じものとして同期制御を行っている。ところが、前記デジタル同期網内の通信回線では、上り回線と下り回線の伝送遅延が異なっているのが現状である。したがって、このような通信回線の特性を無視し、上り回線と下り回線の伝送遅延が同じものとして同期制御を行う上記従来の回路網では、大きな時刻同期誤差が発生することになる。
【０００８】
この理由は、デジタルクロック供給装置からの局内統一クロックに同期して受信用エラスティックストアメモリからデータを読み出すため、電源投入時の初期状態により、上り回線下り回線それぞれの受信用エラスティックストアメモリからのデータ読出し点が異なり、各回線の伝送遅延に違いが生じるからである。
＜第２の問題点＞
また、上記相互同期型の時刻同期システムを適用したデジタル同期網はもちろん、他の時刻同期システムを適用したデジタル同期網でも発生する他の問題点としては、前記通信回線のパルス送信タイミングの制御を伝送端局装置レベルで行うことが困難なことである。
【０００９】
この理由は、複数のデジタル通信回線を前記伝送端局装置で統一的に取り扱うため、回線の送信タイミングが外部のデジタルクロック供給装置からの基準クロック位相に従属していることによる。
【００１０】
本発明は、このような欠点を除去するもので、デジタル同期網特有の上り下り伝送遅延差に起因する同期誤差をなくし、パルス送信タイミングの制御を容易にしたデジタル同期網における時刻同期方法およびシステムを提供することを目的としている。
【００１１】
すなわち、本発明は、時刻基準パルスを伝送するための回線として受信用エラスティックストアメモリが入らない回線にし、デジタルクロック供給装置から伝送端局装置へ渡される基準クロック位相を外部から制御することでパルス送信タイミングを制御して時刻同期を行うことができるデジタル同期網における時刻同期方法およびシステムを提供することにある。
【００１２】
【課題を解決するための手段】
かかる目的を達成するため、請求項１記載の発明は、データを送受信できる局の複数局が伝送路を介して接続されていてかつクロック周波数が全局で同期化されたデジタル同期網における全局の時刻を同期させる時刻同期方法において、各局は、相互に時刻基準パルスを送信し合い、自局パルスを送信してから伝送路クロック抽出回路により伝送路から抽出したクロックで読み出したデータから取り出した相手局パルスを受信するまでの時間を時間間隔カウンタにより計測し、該計測時間を基に演算回路により制御信号を形成し、該制御信号を基に位相制御回路により前記同期網のクロック位相を制御することより前記各計測時間を一致させるようにしている。
【００１３】
したがって、請求項１記載の発明によれば、前記各局で計測した計測時間に基づいて前記同期網のクロック位相を制御しているので、精密な同期を得ることができる。また、受信部が伝送路から抽出したクロックでデータを読み出していることから、電源投入時の初期状態に起因することなく、受信部固有の一定遅延で受信データが得られ、上り回線と下り回線で伝送遅延に差が生じることはないため、同期誤差要因とはならない。
【００１４】
また、請求項２記載の発明は、データを送受信できる主局と従局とが伝送路で接続されて主局と従局とが対向する形に形成されかつクロック周波数が両局で同期化されているデジタル同期網における両局の時刻を同期させる時刻同期方法において、前記主局は、時刻基準パルスを送信するとともに自局パルスを送信してから伝送路クロック抽出回路により伝送路から抽出したクロックで読み出したデータから取り出した相手局パルスを受信するまでの時間を時間間隔カウンタにより計測し当該計測時間を従局に送出し、前記従局は、時刻基準パルスを送信するとともに自局パルスを送信してから伝送路クロック抽出回路により伝送路から抽出したクロックで読み出したデータから取り出した相手局パルスを受信するまでの時間を時間間隔カウンタにより計測し、かつ主局からの計測時間を取込み、前記両計測時間を基に演算回路により制御信号を形成し、該制御信号を基に位相制御回路により前記同期網のクロック位相を制御して前記両計測時間を一致させるようにしている。
【００１５】
したがって、請求項２記載の発明によれば、従局では、主局から送られてきた計測時間と、従局で計測した計測時間に基づいて前記同期網のクロック位相を制御して前記両計測時間を一致させているので、高度な時刻同期が行える。
【００１７】
また、受信部が伝送路から抽出したクロックでデータを読み出していることから、電源投入時の初期状態に起因することなく、受信部固有の一定遅延で受信データが得られ、上り回線と下り回線で伝送遅延に差が生じることはないため、同期誤差要因とはならない。
【００１８】
また、上記目的を達成するために、請求項３記載の発明は、データを送受信できる局の複数局が伝送路を介して接続されていてかつクロック周波数が全局で同期化されているデジタル同期網における全局の時刻を同期させる時刻同期システムにおいて、前記各局は、時刻基準パルスを送信する送信手段と、自局パルスを送信してから伝送路クロック抽出回路により伝送路から抽出したクロックで読み出したデータから取り出した相手局パルスを受信するまでの時間を時間間隔カウンタにより計測する時間間隔計測手段とを備え、時刻を同期させる局は、前記各計測時間を基に演算回路により制御信号を形成し、該制御信号を基に位相制御回路により前記同期網のクロック位相を制御して前記各計測時間を一致させる時刻調整手段を有している。
【００１９】
したがって、請求項３記載の発明によれば、前記各局で計測した計測時間に基づいて前記同期網のクロック位相を制御しているので、精密な同期を得ることができる。また、受信部が伝送路から抽出したクロックでデータを読み出していることから、電源投入時の初期状態に起因することなく、受信部固有の一定遅延で受信データが得られ、上り回線と下り回線で伝送遅延に差が生じることはなくなる。また、時刻調整手段により基準時刻に同期した時刻パルスが得られることになる。
【００２０】
また、請求項４記載の発明は、データを送受信できる主局と従局とが伝送路で接続されて主局と従局とが対向する形に形成されかつクロック周波数が両局で同期化されているデジタル同期網における両局の時刻を同期させる時刻同期システムにおいて、前記主局は、従局のデータを受信するとともに伝送路クロック抽出回路により伝送路から抽出したクロックで読み出したデータから取り出した相手局パルスを得る受信手段と、自局パルスを送信してから前記相手局パルスを受信するまでの時間を時間間隔カウンタにより計測する時間間隔計測手段と、時刻基準パルスを送信できるとともに前記時間間隔計測手段からの前記計測時間を従局に送出する送信手段とを備え、前記従局は、時刻基準パルスを送信する送信手段と、主局のデータを受信するとともに伝送路クロック抽出回路により伝送路から抽出したクロックで読み出したデータから取り出した相手局パルスを得る受信手段と、自局パルスを送信してから前記相手局パルスを受信するまでの時間を時間間隔カウンタにより計測する時間間隔計測手段と、前記主局からの計測時間と当該時間間隔計測手段からの計測時間を基に演算回路により制御信号を形成し、該制御信号を基に位相制御回路により前記同期網のクロック位相を制御して前記両計測時間を一致させる時刻調整手段とを備えている。
【００２１】
したがって、請求項４記載の発明によれば、従局では、主局から送られてきた計測時間と、従局で計測した計測時間に基づいて前記同期網のクロック位相を制御して前記両計測時間を一致させているので、高度な時刻同期が行える。
【００２２】
また、前記受信手段は、伝送路クロック抽出手段によって伝送路から抽出したクロックでデータを読出すような回路構成となっており、このデータから相手局クロックを得られるようにしている。
【００２３】
また、受信部が伝送路から抽出したクロックでデータを読み出していることから、電源投入時の初期状態に起因することなく、受信部固有の一定遅延で受信データが得られ、上り回線と下り回線で伝送遅延に差が生じることはなくなる。
【００２５】
また、時刻調整手段により基準時刻に同期した時刻パルスが得られることになる。
【００２６】
【発明の実施の形態】
以下、本発明の構成を図面に示す実施の一形態に基づいて詳細に説明する。
【００２７】
図１に、本発明に係るデジタル同期網における時刻同期方法を実現するシステムを示す。同図において、主局１は伝送路３を介して従局５に接続されており、主局１と従局５とが対向した形に形成されている。この主局１は、時刻基準局として作用する。従局５は、主局１の時刻と時刻同期できる手段を備えている。
【００２８】
主局１は、デジタルクロック供給装置１０と、時刻同期装置２０と、伝送端局装置３０とを備え、デジタルクロック供給装置１０は、基準クロック（基準時刻クロック）Ｓ１０を時刻同期装置２０に供給するとともに、網同期クロックとして基準クロックＳ１０を伝送端局装置３０に供給するように構成されている。
【００２９】
時刻同期装置２０は、基準時刻発生回路２１と、送信回路２２と、受信回路２３と、時間間隔カウンタ２４とを備えており、次のように構成されている。
【００３０】
基準時刻発生回路２１、送信回路２２および時間間隔カウンタ２４には、基準時刻クロックＳ１０が入力されるように設けられている。基準時刻発生回路２１は、取り込んだ基準時刻クロックＳ１０を基に基準時刻信号Ｓ２１を形成して出力するように構成されている。送信回路２２は、基準時刻クロックＳ１０を基に計測時間データＳ２４を送信信号Ｓ２２として送出できるよう構成されている。受信回路２３は、時刻同期用信号Ｓ３３を基に相手局の時刻パルスＳ２３を得ることができるように設けられている。時間間隔カウンタ２４は、基準時刻クロックＳ１０と、相手局の時刻パルスＳ２３とから計測時間（計測された伝送遅延時間）を計測して計測時間データＳ２４を得られるように設けられている。
【００３１】
伝送端局装置３０は、伝送路クロック抽出回路３１と、送信回路３２と、受信回路３３、３４とを備え、次のように構成されている。
【００３２】
伝送路クロック抽出回路３１は、伝送路３を伝送されてくる信号Ｓ７２から伝送路クロックＳ３１を抽出できるように設けられており、その抽出した伝送路クロックＳ３１を受信回路３３に供給できるように設けられている。受信回路３３には、信号Ｓ７２が入力されるように設けられている。受信回路３３は、前記伝送路クロックＳ３１を基に信号Ｓ７２から受信データを読出し、この受信データから時刻同期用信号Ｓ３３を得るように設けられている。この受信回路３３の出力は、時刻同期装置２０の受信回路２３に接続されており、時刻同期用信号Ｓ３３を受信回路２３に供給できるように設けられている。また、受信回路３４は、網同期クロックＳ１０を基に信号Ｓ７２から一般情報回線の信号Ｓ７０を得るように設けられている。送信回路３２は、網同期クロックＳ１０に同期し、一般情報回線の信号Ｓ３０と、時刻同期装置２０からの送信信号Ｓ２２とを多重化して伝送路３に送出するように設けられている。
【００３３】
従局５は、デジタルクロック供給装置５０と、時刻同期装置６０と、伝送端局装置７０とを備え、デジタルクロック供給装置５０から出力される基準クロック（基準時刻クロック）Ｓ５０を時刻同期装置６０に供給できるように構成されている。
【００３４】
時刻同期装置６０は、基準時刻発生回路６１と、送信回路６２と、受信回路６３と、時間間隔カウンタ６４と、演算回路６５と、位相制御回路６６とを備えており、次のように構成されている。
【００３５】
基準時刻発生回路６１、送信回路６２および時間間隔カウンタ６４には、位相制御回路６６からの時刻パルスＳ６６が供給される。基準時刻発生回路６１は、時刻クロックＳ６６を基に基準時刻に同期した時刻信号Ｓ６１を形成して出力できるように設けられている。送信回路６２は、基準時刻クロックに同期したクロックＳ６６を基に送信信号Ｓ６２を送出できるよう設けられている。受信回路６３は、時刻同期用信号Ｓ７３を基に相手局の時刻パルスＳ６３と、主局１で計測された計測時間データＳ２４とを得ることができるように構成されている。時間間隔カウンタ６４は、基準時刻クロックＳ６６と、相手局の時刻パルスＳ６３とから遅延時間（計測された伝送遅延時間）を計測して計測時間データＳ６４を得られるように設けられている。演算回路６５は、主局１において計測された計測時間データＳ２４と、時間間隔カウンタ６４で計測された計測時間データＳ６４とから、制御信号Ｓ６５を形成して位相制御回路６６に入力できるように構成されている。位相制御回路６６では、前記制御信号Ｓ６５を基に、デジタルクロック供給装置５０からの網同期クロックＳ５０の位相を制御して、前記計測時間が一致し基準時刻に同期した時刻パルスＳ６６、Ｓ６７を得ることができる。なお、上記演算回路６５及び位相制御回路６６とで時刻調整手段が構成されている。
【００３６】
伝送端局装置７０は、伝送路クロック抽出回路７１と、送信回路７２と、受信回路７３、７４とを備え、次のように構成されている。
【００３７】
伝送路クロック抽出回路７１は、伝送路３を伝送されてくる信号Ｓ３２から伝送路クロックＳ７１を抽出できるように構成され、その抽出した伝送路クロックＳ７１を受信回路７３に供給できるように設けられている。受信回路７３には、伝送路クロック抽出回路７１を介した信号Ｓ３２が入力されるように設けられている。受信回路７３は、伝送路クロックＳ７１を基に信号Ｓ３２から受信データを読出し、この受信データから時刻同期用信号Ｓ７３を得るように構成されている。この受信回路７３の出力は時刻同期装置６０の受信回路６３に接続されており、時刻同期用信号Ｓ７３を受信回路６３に供給できるように設けられている。また、伝送端局装置７０の受信回路７４は、基準時刻に同期したクロックＳ６７を基に信号Ｓ３２から一般情報回線の信号Ｓ３０を得られるように設けられている。送信回路７２は、基準時刻に同期したクロックＳ６７に同期して、一般情報回線の信号Ｓ７０と、時刻同期装置６０からの送信信号Ｓ６２とを多重化して伝送路３に送出するように設けられている。
【００３８】
このように構成されたデジタル同期網における時刻同期システムの動作を説明する。
【００３９】
デジタルクロック供給装置１０から出力される時刻クロックＳ１０は、送信回路２２に入力されると同時に、この入力クロックＳ１０に従って時間計測の動作をする時間間隔カウンタ２４に入力される。
【００４０】
受信回路２３では、伝送路クロックＳ３１で読みだされたデータから得た時刻同期用信号Ｓ３３から相手局の時刻パルスＳ２３を得て、時間間隔カウンタ２４に与える。時間間隔カウンタ２４では、自局送信パルスＳ１０と相手局パルスＳ２３との時間間隔を計測して計測時間データＳ２４を出力する。
【００４１】
この計測された計測時間データＳ２４は、時刻クロックＳ１０とともに時刻同期信号Ｓ２２として送信回路２２から送出される。この時刻同期信号Ｓ２２は、クロックＳ１０に同期した伝送端局装置３０の送信回路３２により、一般情報回線の信号Ｓ３０とともに多重化されて出力信号Ｓ３２として伝送路３に送出される。伝送路３を伝送されてきた信号Ｓ３２は、伝送端局装置７０の伝送路クロック抽出回路７１および受信回路７４に入力される。
【００４２】
ここで、伝送端局装置３０の動作を説明すると、伝送端局装置３０では、一般情報回線の信号Ｓ３０と、時刻同期のための信号Ｓ２２とを出力信号Ｓ３２として送信回路３２から対向する伝送端局装置７０に送信される。すなわち、伝送端局装置３０の送信回路３２では、網同期クロックＳ１０に従って一般情報回線の信号Ｓ３０を読み出して伝送路３に送っている。
【００４３】
また、相手局である従局５からの信号Ｓ７２には、一般情報回線の信号Ｓ７０と、同期制御のための信号Ｓ６２とが含まれている。ここで、一般情報回線の信号Ｓ７０は、クロックＳ１０に従って読み出される受信回路３４により出力される。また、時刻同期のための信号Ｓ６２は伝送路クロック抽出回路３１からの伝送路クロックＳ３１に従って受信回路３３により読み出されたデータより形成されて時刻同期用信号Ｓ３３として時刻同期装置２０の受信回路２３に渡される。
【００４４】
一方、従局５の時刻同期装置６０では、自局の時刻パルスＳ６６を送信回路６２から信号Ｓ６２として、伝送端局装置７０および伝送端局装置３０を介して相手局としての時刻同期装置２０に送信すると同時に、時間間隔カウンタ６４に同パルスＳ６６を入力する。
【００４５】
また、時刻同期装置６０の受信回路６３では、対向局からの信号を受信して得た相手局パルスＳ６３を時間間隔カウンタ６４に入力する。
【００４６】
この時間間隔カウンタ６４では、自局送信パルスＳ６６と、相手局からの受信パルスＳ６３の時間間隔を計測して計測時間データＳ６４を形成する。
【００４７】
この計測時間データＳ６４と、受信回路６３において得た主局１で計測した計測時間データＳ２４とは、演算回路６５に入力される。演算回路６５では、自局で計測された計測時間データＳ６４と、相手局で計測された計測時間データＳ２４とを比較し、両者の差に応じた制御信号Ｓ６５を作成して、位相制御回路６６の制御端子に入力する。
【００４８】
位相制御回路６６は、デジタルクロック供給装置５０からの基準クロックＳ５０を制御信号Ｓ６５に応じて位相制御し、前記両計測時間データＳ２４、Ｓ６４の計測時間が一致するように動作する。これにより、位相制御回路６６からは、主局１における時刻基準クロックＳ１０に同期したクロックＳ６６、Ｓ６７を得ることができる。
【００４９】
なお、伝送端局装置７０では、一般情報回線の信号Ｓ７０と、時刻同期のための信号Ｓ６２とを出力信号Ｓ７２として、送信回路７２から対向する主局１に送信される。つまり、この送信回路７２では、主局１にフレーム位相同期したクロックＳ６７に従って読み出されたデータ等を、伝送路３に送出している。
【００５０】
また、相手局である主局１からの信号Ｓ３２には、一般情報回線の信号Ｓ３０と、同期制御のための信号Ｓ２２とが含まれているので、一般情報回線の信号Ｓ３０については前記クロックＳ２７に従って読み出される受信回路７４から、また、時刻同期のための信号Ｓ７３については伝送路クロック抽出回路７１からの伝送路クロックＳ７１に従って受信回路７３から出力される。この受信回路７３から出力された時刻同期用信号Ｓ７３は、時刻同期装置６０の受信回路６３に渡される。
【００５１】
このような伝送路クロックで動作可能な回線としては、例えば同期デジタルハイアラーキ（ＳＤＨ）伝送路では、伝送フレーム内のサービスビットといえるセクションオーバーヘッド（ＳＯＨ）の未定義バイトやデータ通信チャンネル（ＤＣＣ）を使用することが考えられる。
【００５２】
上記実施の形態では、要するに、時刻基準パルスの伝送のための回線として、受信用エラスティックストアメモリが入らない回線を構成したものである。具体的には、伝送端局装置３０では伝送路クロック抽出回路３１により、あるいは伝送端局装置７０では伝送路クロック抽出回路７１により、伝送路クロックＳ３１あるいはＳ７１を抽出し、そのクロックＳ３１、Ｓ７１で動作する受信回路３３、７３にで受信データを読み出している。したがって、受信用エラスティックストアメモリを使用したときのように、電源投入時の初期状態に起因することなく、受信部固有の一定遅延で受信データが得られることになる。したがって、上り回線と下り回線で伝送遅延に差が生じることはなくなる。このため、上記デジタル網に上記実施の形態の時刻同期方法を適用してもよい。
【００５３】
また、伝送端局装置７０に入力されるデジタルクロック供給装置５０からの基準位相を、主局１、従局５で計測した伝送遅延の差によって形成した制御信号により位相制御回路６６で制御することで、基準時刻パルスの送信タイミングを制御するために、伝送端局装置を変更することなく精密な同期制御を行うことができる。
【００５４】
また、上記実施の形態では、主局１と従局５とが対向する形態で説明したが、これに限らず、複数局以上からなるデジタル同期網であってもよい。
【００５５】
なお、本発明は、上記各実施の形態に限らず、特許請求の範囲に記載した発明の要旨を逸脱しない範囲内において種々の変形や変更をすることができる。
【００５６】
【発明の効果】
以上説明したように、請求項１記載の発明に係るデジタル同期網における時刻同期方法によれば、前記各局で計測した計測時間に基づいて前記同期網のクロック位相を制御しているので、精密に時刻同期させることができる。さらに、受信部が伝送路から抽出したクロックでデータを読み出していることから、電源投入時の初期状態に起因することがなくなり、受信部固有の一定遅延で受信データが得られ、上り回線と下り回線で伝送遅延に差が生じることはなく、同期誤差要因となることがない。
【００５７】
また、請求項２記載の発明に係るデジタル同期網における時刻同期方法によれば、従局では、主局から送られてきた計測時間と、従局で計測した計測時間に基づいて前記同期網のクロック位相を制御して前記両計測時間を一致させているので、高度な時刻同期を行なわせることができる。
【００５８】
さらに、受信部が伝送路から抽出したクロックでデータを読み出していることから、電源投入時の初期状態に起因することがなくなり、受信部固有の一定遅延で受信データが得られ、上り回線と下り回線で伝送遅延に差が生じることはなく、同期誤差要因となることがない。
【００５９】
また、請求項３記載の発明に係るデジタル同期網における時刻同期システムによれば、各局で計測した計測時間に基づいて同期網のクロック位相を制御しているので、効率的な通信が行えるデジタル同期網においても高度で精密な同期を行うことができ、デジタル同期網全体での時刻同期化が可能となる。さらに、受信部が伝送路から抽出したクロックでデータを読み出していることから、電源投入時の初期状態に起因することなく、受信部固有の一定遅延で受信データが得られ、上り回線と下り回線で伝送遅延に差が生じることはなくなる。また、計測時間を基に演算回路で制御信号を形成し、この制御信号で位相制御回路を制御して時刻パルスの位相を調整しているので、基準時刻に同期した時刻パルスが容易に得られることになる。
【００６０】
また、請求項４記載の発明に係るデジタル同期網における時刻同期システムによれば、従局では、主局から送られてきた計測時間と、従局で計測した計測時間に基づいて同期網のクロック位相を制御して両計測時間を一致させているので、効率的な通信が行えるデジタル同期網においても高度で精密な同期を行うことができ、デジタル同期網全体での時刻同期化が可能となる。
【００６１】
さらに、受信部が伝送路から抽出したクロックでデータを読み出していることから、電源投入時の初期状態に起因することなく、受信部固有の一定遅延で受信データが得られ、上り回線と下り回線で伝送遅延に差が生じることはなくなる。
【００６２】
さらに、計測時間を基に演算回路で制御信号を形成し、この制御信号で位相制御回路を制御して時刻パルスの位相を調整しているので、基準時刻に同期した時刻パルスが容易に得られることになる。
【図面の簡単な説明】
【図１】本発明に係るデジタル同期網における時刻同期方法およびシステムの実施の形態を示すブロック図である。
【符号の説明】
１  主局
３  伝送路
５  従局
１０  デジタルクロック供給装置
２０  時刻同期装置
２１  基準時刻発生回路
２２  送信回路
２３  受信回路
２４  時間間隔カウンタ（時間間隔計測手段）
３０  伝送端局装置
３１  伝送路クロック抽出回路
３２  送信回路
３３  受信回路
３４  受信回路
５０  デジタルクロック供給装置
６０  時刻同期装置
６１  基準時刻発生回路
６２  送信回路
６３  受信回路
６４  時間間隔カウンタ（時間間隔計測手段）
７０  伝送端局装置
７１  伝送路クロック抽出回路
７２  送信回路
７３  受信回路
７４  受信回路
Ｓ１０，Ｓ５０  基準時刻クロック
Ｓ２４，Ｓ６４  計測時間データ
Ｓ３１，Ｓ７１  伝送路クロック
Ｓ６６，Ｓ６７  （基準時刻に同期した）時刻パルス
【図１】
0003773219.tif 000002